(57)【特許請求の範囲】
【請求項１】
測光による分析装置に取り付けられ、被検試料を収容する一端面が開口した有底の角筒形状の容器である角形セルであって、
分析装置に取り付けられた状態で当該分析装置の測定光が照射される方向である照射方向を法線方向とする相対向する２つの側壁の各々の外側面が、測定光が透過する領域を含む一平面上の領域である低領域と、前記低領域とは異なる内部に欠けた部分のない一平面上の領域である高領域を含み、前記低領域を含む平面が前記高領域を含む平面よりも前記照射方向において内側面側に位置しており、前記２つの側壁以外の側壁の外側面は一平面上の領域のみで構成される
角形セル。
【請求項２】
前記低領域が、前記一端面に対向する端面に達している
請求項１に記載の角形セル。
【請求項３】
前記低領域が、前記一端面に対向する端面に達していない
請求項１に記載の角形セル。
【請求項４】
前記一端面において、４つの壁面の相隣り合う２つの壁面の内側に形成される４つの隅角部の各々に、内側下方から外側上方に向かい拡がる形状の当該２つの壁面のいずれに対しても傾斜した平面又は曲面を有する
請求項１乃至３のいずれか１項に記載の角形セル。
【請求項５】
前記傾斜した平面又は曲面は、Ｒ加工又はＣ加工により形成されている
請求項４に記載の角形セル。
【請求項６】
前記一端面の縁部を覆う弾性材の被膜を備える
請求項１乃至５のいずれか１項に記載の角形セル。
【発明の詳細な説明】
【技術分野】
【０００１】
本発明は、測光による分析装置に取り付けられ、被検試料を収容する一端面が開口した有底の角形セルに関する。
【背景技術】
【０００２】
物質が放射または吸収する光（本願において「光」は可視光に限られず、直進性が可視光と同程度以上に高い電磁波を意味する）のスペクトルを調べ、その物質の成分を分析する分光分析と呼ばれる手法がある。分光分析を行うための装置（以下、「分光分析装置」という）は、所定の周波数帯域の測定光を被検試料に照射し、測定光が照射された被検試料から放射される光のスペクトルを調べることで、被検試料の成分を特定する。なお、本願において「測光」は、光のスペクトル等の特性を特定することを意味する。【０００３】
分光分析装置等の測光により被検試料の成分を分析する分析装置においては、被検試料を測定光が照射される位置で保持するために、角形セルと呼ばれる一端面が開口した有底の角筒形状の容器が用いられる。図１１Ａ〜図１１Ｅ（これらの図を図１１と総称する）は、従来技術に係る一般的な角形セル５の形状を示した図である。【０００４】
図１１Ａは角形セル５の斜視図、図１１Ｂは角形セル５の平面図、図１１Ｃは角形セル５の正面図又は背面図、図１１Ｄは角形セル５の右側図又は左側面図、図１１Ｅは角形セル５の底面図である。【０００５】
図１１Ａにおいて、角形セル５の下側の端面が閉口しており、上側の端面が開口している。図１１Ａにおいて、ｙ方向は分析装置に取り付けられた状態で当該分析装置の測定光が照射される方向を示している。【０００６】
図１１Ｂに示す側壁５１及び側壁５２は、ｙ方向（測定光が照射される方向）を法線方向とする相対向する２つの側壁である。側壁５１の外側面５１１と内側面５１２、及び、側壁５２の外側面５２１と内側面５２２は、測定光の屈曲や反射を極力排除するために、鏡面となるように加工されている。図１１Ｃに示す領域ａが、分析装置に取り付けられた状態で当該分析装置の測定光が透過する領域である。【０００７】
従来技術に係る角形セル５は、分析装置に取り付けられる際に、領域ａに傷が付き易い、という問題がある。図１２Ａ乃至図１２Ｄは、この問題を説明するための図である。図１２Ａは、分析装置６に角形セル５が取り付けられる様子を模式的に示した図である。すなわち、角形セル５は分析装置６に取り付けられる際、分析装置６に設けられた角柱形状の凹部Ｄに閉口している端面側から差し込まれる。【０００８】
図１２Ｂは、分析装置６と、分析装置６に差し込まれる前の角形セル５を、側方から見た状態を模式的に示した図である。図１２Ｂに示す分析装置６の凹部Ｄの側面には、ごく細かい砂等の固い物質であるゴミ７が付着している。図１２Ｃは、図１２Ｂに示す分析装置６の凹部Ｄに角形セル５が取り付けられた状態を示した図である。また、図１２Ｄは、図１２Ｂに示す分析装置６の凹部Ｄに取り付けられた後の角形セル５の斜視図である。図１２Ｄに示されるように、角形セル５の側壁５１の外側面５１１には、角形セル５が分析装置６の凹部Ｄに取り付けられる際に、ゴミ７により傷Ｓが付けられている。このように、外側面５１１又は外側面５２１の測定光が透過する領域に傷が付くと、分析装置６による分析結果の精度が下がる。従って、傷のついた角形セル５は新しい角形セルと交換され、破棄される。【０００９】
従来技術に係る角形セルの上述した問題を解消するための技術が提案されている。例えば、特許文献１には、測定光が透過する領域の外側面に周囲から凹んでいる凹み領域を設けたガラス製の角形セル（角形ガラスセル）が記載されている。特許文献１に記載の角形ガラスセルによれば、分析装置の角形セルが取り付けられる凹部の側面にゴミが付着していても、そのゴミにより角形セルの外側面の測定光が透過する領域に傷が付かない。
【先行技術文献】
【特許文献】
【００１０】
【特許文献１】特開平１０−２７３３３１号公報
【発明の概要】
【発明が解決しようとする課題】
【００１１】
特許文献１に記載の、外側面の測定光が透過する領域に凹部を有する角形ガラスセルは、凹部を形成する加工と、その凹部の外側面を鏡面にする加工が困難である。従って、特許文献１に記載の外側面の測定光が透過する領域に凹部を有する角形ガラスセルは量産できない。【００１２】
上記の事情に鑑み、本発明は、分析装置に取り付けられる際に外側面の測定光が透過する領域に傷が付きにくく、量産できる角形セルを提供することを目的とする。
【課題を解決するための手段】
【００１３】
上述した課題を解決するため、本発明は、測光による分析装置に取り付けられ、被検試料を収容する一端面が開口した有底の角筒形状の容器である角形セルであって、分析装置に取り付けられた状態で当該分析装置の測定光が照射される方向である照射方向を法線方向とする相対向する２つの側壁の各々の外側面が、測定光が透過する領域を含む一平面上の領域である低領域と、前記低領域とは異なる内部に欠けた部分のない一平面上の領域である高領域を含み、前記低領域を含む平面が前記高領域を含む平面よりも前記照射方向において内側面側に位置しており、前記２つの側壁以外の側壁の外側面は一平面上の領域のみで構成される角形セルを第１の態様として提案する。
【００１４】
第１の態様に係る角形セルは量産でき、分析装置に取り付けられる際に外側面の測定光が透過する領域に傷が付きにくい。
【００１５】
第１の態様に係る角形セルにおいて、前記低領域が、前記一端面に対向する端面に達している、という構成が第２の態様として採用されてもよい。
【００１６】
また、第１の態様に係る角形セルにおいて、前記低領域が、前記一端面に対向する端面に達していない、という構成が第３の態様として採用されてもよい。
【００１７】
第２の態様に係る角形セルは、第３の態様に係る角形セルと比較し、加工が容易である。一方、第３の態様に係る角形セルは、分析装置に取り付けられる際に低領域が分析装置の凹部の側面に接触しないため、第２の態様に係る角形セルと比較し、より傷が付きにくい。
【００１８】
第１乃至第３のいずれかの態様に係る角形セルにおいて、前記一端面において、４つの壁面の相隣り合う２つの壁面の内側に形成される４つの隅角部の各々に、内側下方から外側上方に向かい拡がる形状の当該２つの壁面のいずれに対しても傾斜した平面又は曲面を有する、という構成が第４の態様として採用されてもよい。
【００２０】
第４の態様に係る角形セルによれば、被検試料が液体である場合、被検試料が毛細管現象により角形セルの開口している端面に達し、そこで液体成分が蒸発して、固体成分が角形セルの開口している端面上に付着する、という問題が生じにくい。
【００２１】
また、第４の態様に係る角形セルにおいて、前記傾斜した平面又は曲面は、Ｒ加工又はＣ加工により形成されている、という構成が第５の態様として採用されてもよい。
【００２２】
第５の態様に係る角形セルは、既存の加工技術により製造できるため、量産が容易である。
【００２３】
また、第１乃至第５のいずれかの態様に係る角形セルにおいて、前記一端面の縁部を覆う弾性材の被膜を備える、という構成が第６の態様として採用されてもよい。
【００２４】
第６の態様に係る角形セルは、口元部分が破損しにくい。
【発明の効果】
【００２５】
本発明によれば、分析装置に取り付けられる際に外側面の測定光が透過する領域に傷が付きにくく、量産できる角形セルが提供される。
【図面の簡単な説明】
【００２６】
【図１Ａ】一実施形態に係る角形セルの斜視図。
【図１Ｂ】一実施形態に係る角形セルの平面図。
【図１Ｃ】一実施形態に係る角形セルの正面図又は背面図。
【図１Ｄ】一実施形態に係る角形セルの右側面図又は左側面図。
【図１Ｅ】一実施形態に係る角形セルの底面図。
【図２Ａ】一実施形態に係る角形セルの外側面に鏡面の低領域を形成する方法の一例を説明するための図。
【図２Ｂ】一実施形態に係る角形セルの外側面に鏡面の低領域を形成する方法の一例を説明するための図。
【図３Ａ】一実施形態に係る角形セルが分析装置に取り付けられる様子を示した図。
【図３Ｂ】一実施形態に係る角形セルが分析装置に取り付けられる様子を示した図。
【図３Ｃ】一実施形態に係る角形セルが分析装置に取り付けられる様子を示した図。
【図４Ａ】一実施形態に係る角形セルの開口している端面側の部分の斜視図。
【図４Ｂ】一実施形態に係る角形セルの平面図。
【図４Ｃ】一実施形態に係る角形セルを鉛直方向に切断した場合の断面図。
【図４Ｄ】一実施形態に係る角形セルを鉛直方向に切断した場合の断面図。
【図４Ｅ】一実施形態に係る角形セルを鉛直方向に切断した場合の断面図。
【図５Ａ】一実施形態に係る角形セルの開口している端面の内側の縁部に湾曲面が形成される様子を示した図。
【図５Ｂ】一実施形態に係る角形セルの開口している端面の内側の縁部に湾曲面が形成される様子を示した図。
【図６】一実施形態に係る角形セルの開口している端面に液体の被検試料が達しないことを説明するための図。
【図７】一変形例に係る角形セルの形状を示した図。
【図８】一変形例に係る角形セルの形状を示した図。
【図９】一変形例に係る角形セルの被膜で覆われる部分を示した図。
【図１０】一変形例に係る角形セルの形状を示した図。
【図１１Ａ】従来技術に係る角形セルの斜視図。
【図１１Ｂ】従来技術に係る角形セルの平面図。
【図１１Ｃ】従来技術に係る角形セルの正面図又は背面図。
【図１１Ｄ】従来技術に係る角形セルの右側面図又は左側面図。
【図１１Ｅ】従来技術態に係る角形セルの底面図。
【図１２Ａ】分析装置に従来技術に係る角形セルが取り付けられる様子を模式的に示した図。
【図１２Ｂ】分析装置に差し込まれる前の従来技術に係る角形セルを側方から見た状態を模式的に示した図。
【図１２Ｃ】分析装置の凹部に従来技術に係る角形セルが取り付けられた状態を示した図。
【図１２Ｄ】分析装置の凹部に取り付けられる際にゴミにより傷が付いた状態の従来技術に係る角形セルの斜視図。
【図１３】従来技術に係る角形セルの開口している端面における形状及びその問題を示した図。
【発明を実施するための形態】
【００２７】
以下に本発明の一実施形態に係る角形セル１を説明する。
【００２８】
図１Ａ〜図１Ｅ（これらの図を図１と総称する）は、角形セル１の形状を示した図である。図１Ａは角形セル１の斜視図、図１Ｂは角形セル１の平面図、図１Ｃは角形セル１の正面図又は背面図、図１Ｄは角形セル１の右側図又は左側面図、図１Ｅは角形セル１の底面図である。
【００２９】
図１Ａにおいて、角形セル１の下側の端面が閉口しており、上側の端面が開口している。従って、図１Ａにおいて、ｚ方向は閉口している端面から当該端面に対向している端面へと向かう方向を示している。また、ｙ方向（請求の範囲に記載の照射方向）は分析装置に取り付けられた状態で当該分析装置の測定光が照射される方向を示し、ｘ方向はｚ方向及びｙ方向のいずれとも直交する方向を示している。
【００３０】
図１Ｂに示す側壁１１及び側壁１２は、ｙ方向（照射方向）を法線方向とする相対向する２つの側壁である。側壁１１の内側面１１２と、側壁１２の内側面１２２は、測定光の屈曲や反射を極力排除するために、鏡面となるように加工されている。内側面１１２と内側面１２２を鏡面とする方法としては、例えば、表面が鏡面加工された金属製の内形型を内部に収容した石英ガラス又はホウケイ酸ガラスの有底管を軟化温度に達するまで加熱し、軟化温度に達した有底管内の空気を外部へ排出して有底管を内形型に圧着させた後、冷却し、有底管から内形型を離型する既知の方法が採用される。
【００３１】
側壁１１の外側面１１１と、側壁１２の外側面１２１は、図１Ｃ及び図１Ｄに示されるように、共に矩形の平面領域である低領域ｂ及び高領域ｃを有している。本願において「平面領域」とは、内部に欠けた部分のない一平面上の領域を意味する。低領域ｂは、測定光が透過する領域ａを含む領域であり、ｘ方向においては外側面１１１又は外側面１２１のほぼ全幅に渡り拡がっており、ｚ方向においては角形セル１の閉口している端面に達している。換言すれば、低領域ｂは、ｘ方向における両端部において、角形セル１の、ｘ方向を法線方向とする相対向する２つの側壁（図１Ｂに示す側壁１３及び側壁１４）の各々の外側面と隣接している。
【００３２】
また、外側面１１１の低領域ｂを含む平面は、外側面１１１の高領域ｃを含む平面よりも、内側面１１２側に位置している。同様に、外側面１２１の低領域ｂを含む平面は、外側面１２１の高領域ｃを含む平面よりも、内側面１２２側に位置している。すなわち、ｘ方向において角形セル１の内側から外側に向かう方向の距離を高さとした場合、低領域ｂは高領域ｃよりも低い位置にある。換言すれば、低領域ｂのｘ方向における長さは、角形セル１の閉口している端面のｘ方向の辺の長さと実質的に同一となっている。
【００３３】
外側面１１１及び外側面１２１の各々において、低領域ｂを含む平面と高領域ｃを含む平面の距離、すなわち、低領域ｂが高領域ｃより角形セル１の内側に下がっている量（以下、「高低差」という）は、例えば０．０１ｍｍである。なお、図１及び後述の図３においては、分かり易くするため、低領域ｂと高領域ｃの高低差が実際より大きく示されている。
【００３４】
外側面１１１と外側面１２１の低領域ｂは測定光が透過する領域ａを含んでいるため、測定光の屈曲や反射を極力排除するために鏡面加工されている。図２Ａ及び図２Ｂは、角形セル１の外側面１１１又は外側面１２１に鏡面の低領域ｂを形成する方法の一例を説明するための図である。
【００３５】
まず、図２Ａに示されるように、低領域ｂが形成される前の状態の角形セル１を複数、それらの外側面１１１又は外側面１２１が１つの面を形成するように、それらの開口している端面と閉口している端面の各々を揃えて並べる。次に、図２Ｂに示されるように、それらの角形セル１の外側面１１１又は外側面１２１の閉口している端面側の一定領域に研磨材８を押し当てて矢印ｄの方向に往復運動させることで、低領域ｂを形成する。その際、矢印ｅの方向にも研磨材８に僅かな移動をランダムに加えることで、外側面１１１又は外側面１２１の低領域ｂが均等に研磨される。そのような研磨の処理を、より荒さ（番手）が細かい研磨材８に交換しながら繰り返すことで、外側面１１１又は外側面１２１の低領域ｂを鏡面にする。
【００３６】
図３Ａ〜図３Ｃ（これらの図を図３と総称する）は、分析装置６に角形セル１が取り付けられる様子を模式的に示した図である。図３Ａに示されるように、角形セル１は分析装置６に取り付けられる際、分析装置６に設けられた角柱形状の凹部Ｄに閉口している端面側から差し込まれる。
【００３７】
図３Ｂは、分析装置６と、分析装置６に差し込まれる前の角形セル１を、側方から見た状態を模式的に示した図である。図３Ｂに示す分析装置６の凹部Ｄの側面には、低領域ｂと高領域ｃの高低差より直径の小さい微細な硬質のゴミ７（例えば、ガラスの破片等）が付着している。図３Ｃは、図３Ｂに示す分析装置６の凹部Ｄに角形セル１が取り付けられた状態を示した図である。
【００３８】
図３Ｃに示されるように、分析装置６の凹部Ｄの側面と角形セル１の外側面１１１の低領域ｂとの間、及び、分析装置６の凹部Ｄの側面と角形セル１の外側面１２１の低領域ｂとの間には隙間が生じる。従って、角形セル１が分析装置６の凹部Ｄに差し込まれる際、外側面１１１又は外側面１２１がゴミ７に触れることはあっても、外側面１１１又は外側面１２１に傷が付くほどの強さで外側面１１１又は外側面１２１にゴミ７が押し付けられることはない。従って、角形セル１の外側面１１１及び外側面１２１の測定光が透過する領域ａに傷が付くことはない。なお、ゴミ７の直径が低領域ｂと高領域ｃの高低差より大きい場合は、角形セル１が差し込まれる際に角形セル１の下端縁部がゴミ７を掻き落とすため、領域ａに傷が付くことはない。
【００３９】
角形セル１には、上述した低領域ｂを有するという特徴に加え、開口している端面における形状に、従来技術に係る角形セル５とは異なる特徴を備えている。
【００４０】
図１３は、従来技術に係る角形セル５の開口している端面における形状及びその問題を示した図である。角形セル５においては、４つの壁面のうち、相隣り合う２つの壁面が互いに接する部分に谷部ｖが形成される。角形セル５に収容される被検試料が液体の場合、毛細管現象により谷部ｖに沿って被検試料が上昇し、角形セル５の端面の４つの隅角部に達した後、端面上に拡がることがある。その場合、端面上に拡がった被検試料の液体成分が蒸発し、固体成分が角形セル５の端面に付着する。角形セル５を用いて複数の被検試料を順次、分析装置で分析する場合、先に分析した被検試料の固体成分が角形セル５の端面に付着していると、通常の洗浄では付着した固体成分が角形セル５の端面に残存し、次に分析する被検試料に混入する危険性がある。
【００４１】
角形セル１は、上記の問題を解消するために、開口している端面において、４つの谷部ｖの上端部分、すなわち、４つの壁面の相隣り合う２つの壁面の内側に形成される４つの隅角部の各々に、内側下方から外側上方に向かい拡がる形状の、当該２つの壁面のいずれに対しても傾斜した曲面を有している。
【００４２】
図４Ａ〜図４Ｅ（これらの図を図４と総称する）は、角形セル１の開口している端面側の部分の形状を示した図である。図４Ａは、角形セル１の開口している端面側の部分の斜視図であり、図４Ｂは角形セル１の平面図である。また、図４Ｃは図４Ｂに示す切断面ｆで角形セル１をｚ方向に切断した場合の角形セル１の断面図であり、図４Ｄは図４Ｂに示す切断面ｇで角形セル１をｚ方向に切断した場合の角形セル１の断面図であり、図４Ｅは図４Ｂに示す切断面ｈで角形セル１をｚ方向に切断した場合の角形セル１の断面図である。
【００４３】
図４に示されるように、角形セル１の開口している端面の内側の縁部には、全周に渡り外側に凸の湾曲面が形成されている。この湾曲面は、例えば、Ｒ加工により形成される。図５Ａ及び図５Ｂは、Ｒ加工により、角形セル１の開口している端面の内側の縁部に湾曲面が形成される様子を模式的に示した図である。
【００４４】
まず、図５Ａは、開口している端面の内側の縁部に加工が施される前の状態の角形セル１を示した図である。図５Ａの状態の角形セル１の、開口している端面の内側の縁部に対し、図５Ｂに示されるように、回転しているルータのビット９を押し当てながら、例えば、矢印ｊ１〜ｊ４で示されるように、縁部の全周に渡り研磨を行う。この場合、研磨面が内側に凸となるように湾曲しているビット９を用いて研磨を行う。その結果、角形セル１の開口している端面の内側の縁部には、全周に渡り外側に凸の湾曲面が形成される。
【００４５】
図６は、角形セル１の開口している端面に液体の被検試料が達しないことを説明するための図である。角形セル１の谷部ｖには、従来技術に係る角形セル５の谷部ｖと同様に、毛細管現象が生じる。従って、液体の被検試料が谷部ｖに沿って上昇することがある。しかしながら、角形セル１においては、谷部ｖの上端と開口している端面の間に扇形の湾曲面が形成されており、その湾曲面においては毛細管現象が生じない。従って、被検試料が角形セル１の谷部ｖの上端に至ることはあっても、開口している端面に達して端面上に拡がることはない。そのため、被検試料の固体成分が角形セル１に付着し通常の洗浄でその固体成分が残存する、という問題が、角形セル１において生じることはない。
【００４６】
［変形例］
上述した実施形態は、本発明の技術的思想の範囲内で様々に変形することができる。以下にそれらの変形の例を示す。なお、以下の２以上の変形例が組み合わされてもよい。
【００４７】
（１）上述した角形セル１の外側面１１１及び外側面１２１が有する低領域ｂは、ｚ軸方向において、角形セル１の閉口している端面に達している。低領域ｂは、測定光が透過する領域ａを含む平面領域であれば、角形セル１の閉口している端面に達していなくてもよい。図７は、この変形例に係る角形セル１の形状を例示した図である。なお、図７の例においては、高領域ｃは２つの平面領域で構成されている。
【００４８】
上述した実施形態に係る角形セル１（図１参照）は、この変形例に係る角形セル１（図７参照）と比較し、加工がより容易である。一方、上述した実施形態に係る角形セル１は、分析装置６の凹部Ｄに差し込まれる際に、低領域ｂが凹部Ｄの側面に触れる場合がある。それにより角形セル１に僅かな傷が付くことがあり得る。また、例えば低領域ｂと高領域ｃの高低差とほぼ同じ大きな直径のゴミが分析装置６の凹部Ｄの側面に付着しているような場合、分析装置６の凹部Ｄに差し込まれる際にゴミが角形セル１の下端縁部により掻き落とされず、凹部Ｄの側面と低領域ｂとの間に挟まって、低領域ｂに傷を付ける可能性がある。
【００４９】
これに対し、この変形例に係る角形セル１においては、低領域ｂが凹部Ｄの側面に触れる危険性が低い。また、分析装置６の凹部Ｄの側面に付着しているゴミはその大きさにかかわらず角形セル１が差し込まれる際に角形セル１の下端縁部により掻き落とされるため、ゴミが低領域ｂに傷を付ける可能性も低い。
【００５０】
（２）上述した角形セル１の開口している端面の内側の縁部には曲面が形成されている。これに代えて、角形セル１の開口している端面の内側の縁部に、傾斜した平面が形成されてもよい。その場合、傾斜した平面は、例えばＣ加工により形成される。図８は、この変形例に係る角形セル１の開口している端面側の形状を例示した図である。
【００５１】
（３）上述した角形セル１においては、開口している端面の内側の縁部の全周に渡り曲面が形成されている。これに代えて、角形セル１の開口している端面の内側の縁部の４つの隅角部にのみ、その隅角部を形成する２つの相隣り合う壁面のいずれに対しても傾斜した曲面又は平面が形成されていてもよい。
【００５２】
（４）上述した角形セル１を製造する方法（低領域ｂを形成する方法、開口している端面の内側の縁部に湾曲面を形成する方法等）は一例であって、他の様々な方法が採用されてよい。
【００５３】
（５）上述した実施形態の説明において、角形セル１の素材には特に言及しなかったが、測定光の透過率が要求される基準を満たす限り、角形セル１の素材は限定されない。例えば、石英ガラス、ホウケイ酸ガラス、透明の硬質プラスチック等が角形セル１の素材として採用可能である。
【００５４】
（６）角形セル１が口元の領域、すなわち、開口している端面の縁部を含む領域を覆う弾性材（例えば合成ゴム）の被膜を備えてもよい。図９は、この変形例に係る角形セル１において、弾性材の被膜で覆われる領域を斜線で例示した図である。この変形例に係る角形セルによれば、口元部分が何かにぶつかっても口元部分に破損が生じにくい。また、弾性材の被膜に色を付けてもよい。その場合、口元部分の色によって複数の角形セルの各々が区別可能となる。
【００５５】
（７）上述した実施形態に係る角形セル１においては、外側面５１１と外側面５２１は低領域ｂと高領域ｃのいずれかに区分される。外側面５１１と外側面５２１が低領域ｂと高領域ｃのいずれにも区分されない領域を含んでもよい。図１０は、この変形例に係る角形セル１の一例の右側面図又は左側面図である。図１０に示される角形セル１においては、低領域ｂと高領域ｃとの間に、それらの領域をつなぐ領域がある。なお、図１０の例では、低領域ｂと高領域ｃとをつなぐ領域は曲面であるが、この領域が低領域ｂ及び高領域ｃに対し傾斜した平面であってもよい。
【符号の説明】
【００５６】
１…角形セル、５…角形セル、６…分析装置、７…ゴミ、８…研磨材、９…ビット、１１…側壁、１２…側壁、５１…側壁、５２…側壁、１１１…外側面、１１２…内側面、１２１…外側面、１２２…内側面、５１１…外側面、５１２…内側面、５２１…外側面、５２２…内側面。
【要約】
角形セル１は、測光による分析装置に取り付けられ、被検試料を収容する一端面が開口した有底の角形セルである。角形セル１には、分析装置に取り付けられた状態において分析装置から照射される測定光が透過する壁面の外側面の下側に、上側の平面領域よりも内側面側に例えば０．０１ｍｍだけ下がった平面領域である低領域が設けられている。この低領域は水平方向におけるほぼ全幅に渡り拡がっている。そのため、分析装置に設けられた凹部に角形セル１が取り付けられる際、その凹部の側面に微細で硬質なゴミが付着していても、そのゴミによって角形セル１の測定光が透過する領域に傷が付かない。また、この低領域は水平方向におけるほぼ全幅に渡り拡がっているため、研磨材を用いた研磨により鏡面に加工することができる。【図１Ａ】
0006821229.tif 000002
【図１Ｂ】
0006821229.tif 000003
【図１Ｃ】
0006821229.tif 000004
【図１Ｄ】
0006821229.tif 000005
【図１Ｅ】
0006821229.tif 000006
【図２Ａ】
0006821229.tif 000007
【図２Ｂ】
0006821229.tif 000008
【図３Ａ】
0006821229.tif 000009
【図３Ｂ】
0006821229.tif 000010
【図３Ｃ】
0006821229.tif 000011
【図４Ａ】
0006821229.tif 000012
【図４Ｂ】
0006821229.tif 000013
【図４Ｃ】
0006821229.tif 000014
【図４Ｄ】
0006821229.tif 000015
【図４Ｅ】
0006821229.tif 000016
【図５Ａ】
0006821229.tif 000017
【図５Ｂ】
0006821229.tif 000018
【図６】
0006821229.tif 000019
【図７】
0006821229.tif 000020
【図８】
0006821229.tif 000021
【図９】
0006821229.tif 000022
【図１０】
0006821229.tif 000023
【図１１Ａ】
0006821229.tif 000024
【図１１Ｂ】
0006821229.tif 000025
【図１１Ｃ】
0006821229.tif 000026
【図１１Ｄ】
0006821229.tif 000027
【図１１Ｅ】
0006821229.tif 000028
【図１２Ａ】
0006821229.tif 000029
【図１２Ｂ】
0006821229.tif 000030
【図１２Ｃ】
0006821229.tif 000031
【図１２Ｄ】
0006821229.tif 000032
【図１３】
0006821229.tif 000033